(57)【要約】      （修正有）【課題】天井に容易に設置することができ、汎用性が高く、様々な態様にカーテンを設置できるカーテンの吊下装置を提供する。【解決手段】天井面Ｒに螺子込み可能な雄螺子部７ａと、該雄螺子部の一端に形成された金属製の頭部７ｂからなる位置決ボルト７と、マグネットＭを収納している布製の板状基台２’と、該板状基台の下面に上記板状基台に直交する方向に設けられた布製のリング状吊下部５ａ’とからなる吊下具２とにより構成され、吊下具２は上記リング状吊下部５ａ’をカーテンの上縁に縫い込むことでカーテンの上縁に接合し得るように構成される。そして上記吊下具２の上記板状基台２’の上面を上記マグネットＭの磁気的吸着力によって天井面Ｒに螺子込まれた位置決ボルト７の上記頭部表面に吸着し得るように構成する。【選択図】図１
0003182249.tif 000002
【実用新案登録請求の範囲】
【請求項１】
天井面に螺子込み可能な雄螺子部と、当該雄螺子部の一端に形成された金属製の頭部からなる複数の位置決ボルトと、
マグネットを具備し、上面側に上記マグネットの磁気的吸着力が作用する面を有する板状基台と、該板状基台の下面側に固定され、カーテンを吊り下げるための吊下部材とを具備する複数の吊下具とによって構成され、
上記複数の位置決ボルトは設置すべきカーテンの上縁の位置に沿って上記頭部表面を下側として天井面に螺子込み可能に構成されており、
上記複数の吊下具は上記各吊下部材によってカーテンを吊り下げ可能に構成されており、
上記吊下具の上記板状基台の上記上面を、上記マグネットの磁気的吸着力によって対応する上記位置決ボルトの上記頭部表面に吸着し得るように構成したものであることを特徴とするカーテンの吊下装置。
【請求項２】
上記複数の吊下具の上記各吊下部材をカーテンの上縁側に取り付けることにより、上記複数の吊下具によってカーテンを吊り下げ可能に構成すると共に、
上記複数の吊下具に対応する上記複数の位置決ボルトを所定間隔を以って天井面に螺子込み固定してその頭部表面を下向として上記天井面に並設し、
上記カーテンの上縁側の上記各吊下具の各上面を上記マグネットの磁気的吸着力を以って対応する上記位置決ボルトの上記頭部表面に吸着することにより、上記カーテンを上記天井面に吊り下げ可能に構成したものであることを特徴とする請求項１記載のカーテンの吊下装置。
【請求項３】
上記吊下具は、内部にマグネットを収納している布製の板状基台と、該板状基台の下面に上記板状基台に直交する方向にリング状に設けられた布製の吊下部材とから構成され、
上記複数の吊下具は上記各吊下部材をカーテンの上縁に縫合することにより、上記カーテンを吊り下げ可能に構成されたものである請求項１又は２記載のカーテンの吊下装置。
【請求項４】
上記吊下具は、内部にマグネットを収納している布製の板状基台と、該板状基台の下面に上記板状基台に直交する方向にリング状に設けられた布製の吊下部材とから構成され、
上記複数の吊下具を所定間隔を以って並設すると共に、各吊下具の上記リング状の各吊下部材に１本の水平ポールを共通に挿通し、
当該水平ポールにカーテンを吊り下げ可能に構成したものである請求項１又は２記載のカーテンの吊下装置。
【請求項５】
上記吊下具は、上面にマグネットが固定された板状基台と、該板状基台の下面に上記板状基台に直交する方向に設けられた吊下フックからなる吊下部材とから構成され、
上記吊下具は上記吊下フックにカーテンの上縁に設けられた係合孔を係合することにより上記カーテンを吊り下げ可能に構成したものである請求項１又は２記載のカーテンの吊下装置。
【請求項６】
上記吊下具は、上面にマグネットが固定された板状基台と、該板状基台の下面に固定された支持板からなる吊下部材とから構成され、
上記複数の吊下具を所定間隔を以って並設すると共に、各吊下部材としての上記支持板にカーテンレールを固定し、
当該カーテンレールにカーテンを吊り下げ可能に構成したものである請求項１又は２記載のカーテンの吊下装置。
【請求項７】
上記位置決ボルトの上記頭部は円形であってその上記頭部表面が球面凸状に形成されているものであることを特徴とする請求項１〜６の何れかに記載のカーテンの吊下装置。
【請求項８】
上記位置決ボルトの頭部は長方形又は正方形であり、これら複数の位置決ボルトを天井面に並列に螺子込むことにより、上記天井面に帯状に連続する金属製の位置決頭部を形成し得るように構成したものであることを特徴とする請求項１又は２又は６記載のカーテンの吊下装置。
【考案の詳細な説明】
【技術分野】
【０００１】
本考案は、例えば結婚披露宴等の雛壇の背景に装飾用として設置される装飾用カーテン等のカーテンの吊下装置に関するものである。
【背景技術】
【０００２】
従来、カーテンの吊下装置としては、特許文献１に示すように、天井に薄鋼板を固定し、この薄鋼板に複数の磁力固定部材を磁気的に吸着し、これら磁気固定部材間にカーテンレールを固定し、該カーテンレールにカーテンを吊り下げる構成のものが提案されている（特許文献１）。
【０００３】
また、天井に細幅帯状の長い磁性条片を固定し、この磁性条片に吊り下げリングが設けられた磁石本体を磁気的に吸着し、上記磁性条片に沿って複数の上記磁石本体を吸着し、これら磁石本体の吊り下げリングに垂れ幕等を吊り下げることが可能な装置が提案されている（特許文献２）。
【先行技術文献】
【特許文献】
【０００４】
【特許文献１】特開２０１１−１５７７３２
【特許文献２】特表２００４−５０６２４９
【考案の概要】
【考案が解決しようとする課題】
【０００５】
ところで、特許文献１の装置では、天井に広範囲の面積を有する薄鋼板を固定する必要があり、施工が大がかりとなるし、薄鋼板を設置できる場所も限定されるため、汎用性が低いという課題がある。
【０００６】
特許文献２の装置では、天井には細幅帯状の磁性条片を設置するだけでよいが、磁性条片が直線の長い磁性条片であるため、直線的にしかカーテンを設置することができず、カーテンの設置の自由度が低いという課題がある。
【０００７】
本考案は、上記従来の課題に鑑みてなされたものであり、天井に容易に設置することができ、しかも様々な態様にカーテンを設置することができる汎用性の高いカーテンの吊下装置を提供することを目的とする。
【課題を解決するための手段】
【０００８】
上記の目的を達成するため本考案は、
第１に、天井面に螺子込み可能な雄螺子部と、当該雄螺子部の一端に形成された金属製の頭部からなる複数の位置決ボルトと、マグネットを具備し、上面側に上記マグネットの磁気的吸着力が作用する面を有する板状基台と、該板状基台の下面側に固定され、カーテンを吊り下げるための吊下部材とを具備する複数の吊下具とによって構成され、上記複数の位置決ボルトは設置すべきカーテンの上縁の位置に沿って上記頭部表面を下側として天井面に螺子込み可能に構成されており、上記複数の吊下具は上記各吊下部材によってカーテンを吊り下げ可能に構成されており、上記吊下具の上記板状基台の上記上面を、上記マグネットの磁気的吸着力によって対応する上記位置決ボルトの上記頭部表面に吸着し得るように構成したものであることを特徴とするカーテンの吊下装置により構成される。
【０００９】
上記板状基台は例えばマグネットを内部に収納する布製の板状基台（２’）により構成することができる。上記吊下部材は例えば帯状布により形成された吊下リング（５ａ’）により構成することができる。上記位置決ボルトの天井面への螺子込みは、位置決ボルト単独で天井面に螺子込んでも良いが、雄螺子用アンカー（１０）を天井面に螺子込んだ後、当該雄螺子用アンカー（１０）内に位置決ボルトを螺子込む構成でも良い。このように構成すると、吊下具を複数用意し、各吊下具の吊下部材をカーテンの上縁に沿って一定間隔毎にカーテン上縁に接合し、上記吊下具の数に対応する数の複数の位置決めボルトを用意し、これら位置決ボルトを上記一定間隔で天井面に螺合固定してその頭部表面を下向きに並設し、上記カーテンの各吊下具の上記上面を上記マグネットの磁気的吸着力を以って対応する位置決めボルトの上記頭部表面に吸着することにより、上記カーテンを上記天井面に容易に吊り下げ設置することができる。
【００１０】
第２に、上記複数の吊下具の上記各吊下部材をカーテンの上縁側に取り付けることにより、上記複数の吊下具によってカーテンを吊り下げ可能に構成すると共に、上記複数の吊下具に対応する上記複数の位置決ボルトを所定間隔を以って天井面に螺子込み固定してその頭部表面を下向として上記天井面に並設し、上記カーテンの上縁側の上記各吊下具の各上面を上記マグネットの磁気的吸着力を以って対応する上記位置決ボルトの上記頭部表面に吸着することにより、上記カーテンを上記天井面に吊り下げ可能に構成したものであることを特徴とする上記第１記載のカーテンの吊下装置により構成される。
【００１１】
このように構成すると、天井面に複数の位置決ボルトを並設状態で螺子込むことにより、カーテンの取り付けの位置決めを行うことができるので、カーテンの取り付けの自由度を高くすることができる。また、吊下具の上面をマグネットの磁気吸着力により位置決ボルトに吸着するのみでカーテンを吊り下げることができ、また吊下具を位置決ボルトから磁気的に離脱するだけでカーテンを容易に取り外すこともできる。
【００１２】
第３に、上記吊下具は、内部にマグネットを収納している布製の板状基台と、該板状基台の下面に上記板状基台に直交する方向にリング状に設けられた布製の吊下部材とから構成され、上記複数の吊下具は上記各吊下部材をカーテンの上縁に縫合することにより、上記カーテンを吊り下げ可能に構成されたものである上記第１又は２記載のカーテンの吊下装置により構成される。
【００１３】
このように構成すると、カーテンの上縁に設けられた複数の吊下具の上面をマグネットの磁気的吸着力を以って上記位置決ボルトの頭部表面に吸着するだけで、カーテンを天井に設置することができる。
【００１４】
第４に、上記吊下具は、内部にマグネットを収納している布製の板状基台と、該板状基台の下面に上記板状基台に直交する方向にリング状に設けられた布製の吊下部材とから構成され、上記複数の吊下具を所定間隔を以って並設すると共に、各吊下具の上記リング状の各吊下部材に１本の水平ポールを共通に挿通し、当該水平ポールにカーテンを吊り下げ可能に構成したものである上記第１又は２記載のカーテンの吊下装置により構成される。
【００１５】
上記水平ポールにカーテンを吊り下げるとは、例えば上記水平ポールに複数のフックを係合し、これらフックにカーテンのフック孔を係合することにより行うことができる。このように構成すると、天井の複数の位置決ブロックに磁気的に吸着した吊下具のリング状の吊下部材に水平ポールを容易に挿通し得て、当該水平ポールに例えば公知のカーテンフック等を用いて例えば装飾用のカーテン等を吊下することができる。
【００１６】
第５に、上記吊下具は、上面にマグネットが固定された板状基台と、該板状基台の下面に上記板状基台に直交する方向に設けられた吊下フックからなる吊下部材とから構成され、上記吊下具は上記吊下フックにカーテンの上縁に設けられた係合孔を係合することにより上記カーテンを吊り下げ可能に構成したものである上記第１又は２記載のカーテンの吊下装置により構成される。
【００１７】
上記板状基台は例えば図１０の板状基台（１７）、上記吊下フックは例えば図１０のフック（１８）により構成することができる。このように構成すると、天井面に固定された複数の位置決ボルトに複数の吊下具を磁気的に吸着し、各吊下具の吊下フックにカーテンの上縁の係合孔を係合することにより、カーテンを天井面に容易に設置することができる。
【００１８】
第６に、上記吊下具は、上面にマグネットが固定された板状基台と、該板状基台の下面に固定された支持板からなる吊下部材とから構成され、上記複数の吊下具を所定間隔を以って並設すると共に、各吊下部材としての上記支持板にカーテンレールを固定し、当該カーテンレールにカーテンを吊り下げ可能に構成したものである上記第１又は２記載のカーテンの吊下装置により構成される。
【００１９】
上記板状基台は例えば図１２の板状基台（１９）、吊下部材としての上記支持板は例えば図１２のブラケット（２０）により構成することができる。このように構成すると、複数の吊下具を並設して各吊下部材としての支持板にカーテンレールを固定し、該カーテンレールにカーテンを吊り下げ、当該カーテンレールに固定された上記複数の吊下具の各上面を、天井面に固定された対応する複数の位置決ボルトの頭部表面に磁気的に吸着することで、カーテンを天井面に吊り下げることができる。
【００２０】
第７に、上記位置決ボルトの上記頭部は円形であってその上記頭部表面が球面凸状に形成されているものであることを特徴とする上記第１〜６の何れかに記載のカーテンの吊下装置により構成される。
【００２１】
このように構成すると、吊下具の上面のマグネットを上記位置決ボルトの頭部表面に磁気的に吸着し得るし、カーテンを天井面から取り外す際、上記位置決ボルトの頭部表面が球面凸状であるので、当該吊下具を上記頭部表面から比較的容易に取り外すことができる。
【００２２】
第８に、上記位置決ボルトの頭部は長方形又は正方形であり、これら複数の位置決ボルトを天井面に並列に螺子込むことにより、上記天井面に帯状に連続する金属製の位置決頭部を形成し得るように構成したものであることを特徴とする第１又は２又は６記載のカーテンの吊下装置により構成される。
【００２３】
このように構成すると、複数の位置決ボルトを天井面に螺子込むことにより、天井面に容易に帯状の位置決頭部を形成することができるので、当該位置決頭部に複数の吊下具を磁気的に吸着し、これら吊下具にカーテンを吊り下げることにより、天井面に容易にカーテンを吊り下げ設置することができる。
【考案の効果】
【００２４】
上述のように、本考案によれば、位置決ボルトを一定間隔で天井面に螺合固定してその頭部表面を下向きに並設し、カーテンの上縁に接合した複数の吊下具の上面をマグネットの磁気的吸着力を以って対応する位置決めボルトの上記頭部表面に吸着することにより、上記カーテンを上記天井面に容易に吊り下げ支持することができる。
【００２５】
従って、天井面に複数の位置決ボルトを並設状態で螺子込むことにより、カーテンの取り付け位置の位置決めを行うことができ、カーテンの取り付けの自由度を高くすることができる。
【００２６】
また、吊下具の上面をマグネットの磁気吸着力により位置決ボルトに吸着するのみでカーテンを天井面に吊り下げることができ、また吊下具を位置決ボルトから磁気的に離脱するだけでカーテンを容易に取り外すこともでき、マグネットの磁気的吸着力を利用して、カーテンの天井面への吊り下げ、取り外しを極めて容易に行うことができる。
【００２７】
また、位置決ボルトの頭部表面が球面凸状なので、板状基台を容易に頭部表面から離脱することができる。
【００２８】
また、水平ポールを用いたカーテンの天井面への吊り下げも、極めて容易に行うことができる。
【００２９】
また、カーテンレールを用いたカーテンの天井面への吊下げも、極めて容易に行うことができる。
【００３０】
また、天井面に対しては、位置決ボルトを螺子込むだけであるから、天井面に対する加工を最小限に抑えることができるし、カーテン撤去後も位置決ボルトを天井面に残しても、美観上の影響は殆どなく、天井面の位置決ボルトを使用して繰り返しカーテンの吊り下げ作業を行うことができる。
【００３１】
また、カーテンの吊り下げ位置の変更、吊り下げ態様の変更も、天井面に設置した位置決ボルトの位置変更により容易に行うことができる。
【図面の簡単な説明】
【００３２】
【図１】本考案に係るカーテンの吊下装置の分解斜視図である。
【図２】（ａ）は同上吊り下げ装置の分解側面図、（ｂ）は同上吊下装置の側面図である。
【図３】同上吊下装置の側面断面図である。
【図４】同上吊下装置の分解側面図である。
【図５】同上吊下装置のカーテンの斜視図である。
【図６】同上吊下装置の側面図である。
【図７】同上吊下装置の位置決ボルトと吊下具との関係を示す同上吊下装置の斜視図である。
【図８】同上吊下装置の位置決ボルトと吊下具との関係を示す同上吊下装置の平面図である。
【図９】同上吊下装置の第２の実施形態の側面図である。
【図１０】同上装置の第３の実施形態の分解側面図である。
【図１１】同上装置の第３の実施形態の側面図である。
【図１２】同上装置の第４の実施形態の分解斜視図である。
【図１３】同上装置の第４の実施形態の側面図である。
【図１４】（ａ）は位置決ボルトの他の実施形態の斜視図、（ｂ）は（ａ）の位置決ボルトを天井面に設置した状態の側面図である。
【図１５】図１４の位置決ボルトを天井面に設置した状態の斜視図である。
【図１６】位置決ボルトの他の実施形態であり、同ボルトを天井面に設置した状態の側面断面図である。
【考案を実施するための形態】
【００３３】
以下、添付図面に基づいて本考案のカーテンの吊下装置について詳細に説明する。
【００３４】
図１にカーテンの吊下装置１の第１の実施形態の斜視図を示す。同図において、２は吊下具であり、正方形状の２枚の厚手の布２ａ（上面側），２ａ’（下面側）を用意し、これらの布２ａ，２ａ’間に円盤形状のマグネットＭを収納し、これら布２ａ，２ａ’の外周縁を糸４で縫うことで、当該マグネットＭが内部に収納された吊下具２の板状基台２’を形成する。
【００３５】
さらに、帯状の薄手の布５を用意し、当該布の中央５ａを谷折りしてリング状とし、吊下リング５ａ’を形成すると共に、上記布の両方の端部５ｂ，５ｂ’を水平に折り曲げ、上記水平の両端部５ｂ，５ｂ’を上記板状基台２’の下面側の布２ａ’に宛てがう。
【００３６】
そして、上記両方の端部５ｂ，５ｂ’の方形の周縁を、上記板状基台２’の上記下面の布２ａ’に糸６，６にて方形に縫い付けることで、上記板状基台２’の上記下面の布２ａ’の中央部に下方に垂下する吊下リング（吊下部材）５ａ’を形成する。
【００３７】
上記マグネットＭは、例えば円盤形状又はリング状のネオジウム磁石であり、直径２５ｍｍ、幅６ｍｍ程度のものを使用する。このマグネット１個は常温で１１Ｋｇの磁気吸着力を有しているので、例えば当該マグネットＭを複数個用いることにより、例えば装飾用の比較的重いカーテン等を確実に天井面に磁気的に吸着支持することができる。
【００３８】
図１中、７は天井螺子込み用の位置決ボルトであり、天井面Ｒに螺子込まれる雄螺子部７ａと、当該雄螺子部７ａの一端に形成され金属性（磁性材料）の円形頭部（頭部）７ｂから構成されている。上記雄螺子部７ａは、いわゆる木ねじのような鋭角な先端部７ａ’を有する螺子部から構成されており、当該先端部７ａ’を天井面（木材、石膏ボード等）に食い込ませることができるように形成されている。
【００３９】
上記円形頭部７ｂは、その周側面には滑り防止用の縦溝８が形成されると共に、その表面９は球面凸状（球体の一面からなる形状）に形成されており（図２参照）、上記吊下具２の上記マグネットＭが上面の布２ａを介して磁気的に吸着し得ると共に、上記吊下具２を上記円形頭部７ｂから離脱し易い形状となっている。
【００４０】
図３において、１０は樹脂製の雄螺子用アンカーであり、上記位置決ボルト７を天井面Ｒに螺子込む際、天井側が石膏ボード等、上記雄螺子部７ａと天井との螺合では吊り下げるカーテン１１の重量に耐えられない場合に使用する。この雄螺子用アンカー１０はその雄螺子部１０ａに外周側に大きく突出する螺旋状の螺子山１０ｂが形成されており、中央部には上記雄螺子部７ａの直径より小径の貫通孔１０ｃが形成され、その一端部に円盤状の頭部１０ｄが形成されている。
【００４１】
この雄螺子用アンカー１０は上記天井面Ｒに螺子込むことにより、上記螺子山１０ｂが天井面Ｒ内部に食い込んで、当該天井の材質が石膏ボード等であっても当該天井に強固に固定され、その後に上記位置決ボルト７を上記貫通孔１０ｃに螺子込むことにより、当該位置決ボルト７を上記雄螺子用アンカー１０に強固に固定することができる。このように雄螺子用アンカー１０を使用することにより、天井面が石膏ボード等であっても、吊り下げるカーテン１１の重量に十分に耐え得る状態で位置決ボルト７を天井面Ｒに固定することができる。
【００４２】
図４において、１１は方形のカーテンであり、その上縁１１ａに沿って、上記吊下具２の上記吊下リング５ａ’を一定間隔毎に縫い付けて（縫合して）固定する。
【００４３】
具体的には、上記カーテン１１の上縁１１ａに上記吊下具２の布製の上記吊下リング５ａ’を宛てがい、図２に示すように、上記基台２’の下面の布２ａ’の直下に上記カーテン１１の上縁１１ａが位置する状態とし（図５、図６参照）、かかる状態で上記吊下リング５ａ’の周縁を上記カーテン１１に糸１２にて方形に縫い付ける（図２（ａ）（ｂ）参照）。そして、上記上縁１１ａに沿って同様に吊下具２の吊下リング５ａ’を複数個縫い付け固定して、複数の吊下具２付のカーテン１１を形成する（図５参照）。
【００４４】
このようにすると、上記カーテン１１の上縁１１ａに、内部に水平方向の状態でマグネットＭが収納された水平方向（上縁１１ａに直交する方向）の上記板状基台２’が複数取り付けられた状態となるため、これらのマグネットＭを天井面Ｒの位置決ボルト７の円形頭部７ｂ表面９に容易に吸着させることができる。
【００４５】
本考案の場合、図４に示すように、上記吊下具２は上記カーテン１１の上縁１１ａに間隔Ｔ１毎に固定するため、上記位置決めボルト７も上記間隔Ｔ１を隔てた状態で天井面Ｒに螺子込み固定する。
【００４６】
本考案は、上述のように構成されるので、次に本考案の作用を説明する。
本実施形態では、図４に示すように複数の吊下具２をカーテン１１の上縁１１ａに沿って間隔Ｔ１を以って縫い付けて固定しているものとする。
【００４７】
まず、複数の位置決ボルト７を用意し、カーテン１１を設置する予定の天井面Ｒに、位置決ボルト７の雄螺子部７ａを螺子込んでいく。この場合、位置決ボルト７同士の間隔は、上記カーテン１１の吊下具２の間隔Ｔ１と同一の間隔Ｔ１となるように螺子込んでいく（図４参照）。
【００４８】
尚、上記天井面Ｒが木質等、上記雄螺子部７ａを確実に螺合固定し得る材質の場合はそのままで良いが、例えば石膏ボード等、木質材に比較して螺合強度が低下するおそれのある材質の場合は、図３に示すように、天井面Ｒにまず雄螺子用アンカー１０を螺子込んで、当該アンカー１０の貫通孔１０ｃ内に上記位置決ボルト７を螺子込む。
【００４９】
その後、上記吊下具付のカーテン１１の上縁１１ａを天井面Ｒに近づけ、上記上縁１１ａの各吊下具２の板状基台２’の上面側の布２ａを、各々対応する上記位置決ボルト７の円形頭部７ｂの下向きの表面９に順次接触していく。
【００５０】
すると、図６に示すように、上記板状基台２’内のマグネットＭの磁気吸着力が上記上面側の布２ａを介して上記位置決ボルト７の金属製の円形頭部７ｂ表面９に作用し、上記板状基台２’の上面側が上記円形頭部７ｂに磁気的に吸着する。
【００５１】
よって、上記各板状基台２の上面側を上記天井面Ｒに固定された各位置決ボルト７の円形頭部７ｂの表面９に磁気的に吸着させていくことにより、図６に示すように、天井面Ｒにカーテン１１を吊下設置することができる。
【００５２】
このように、天井面Ｒにカーテン１１を設置する作業は、天井面Ｒにカーテン設置位置に合わせて複数の位置決ボルト７を螺子込む作業と、吊下具付きのカーテン１１の各吊下具２の各板状基台２’（マグネットＭ）を、天井面Ｒにおける対応する位置決ボルト７の円形頭部７ｂの下向きの表面９に磁気的に吸着させていくだけで良いため、カーテンの吊下設置作業を極めて簡単に行うことができる。
【００５３】
また、カーテン１１の設置の態様も自由である。即ち、図７、図８に示すように、例えばカーテン１１を波状に設置したい場合は、設置予定の波の形状（図７、図８のラインＬ）に合わせて複数の位置決ボルト７を天井面Ｒに波状に螺子込めばよい。尚、この場合の各位置決ボルト７間の間隔は上記間隔Ｔ１となるようにする。
【００５４】
その後、上記波状に固定した上記位置決ボルト７に沿って吊下具付カーテン１１の各吊下具２の上面の布２ａを上記各位置決ボルト７の下向きの表面９に磁気的に吸着させて行けば良い。
【００５５】
また、カーテン１１を取り外す際は、カーテン１１の上記吊下具２の上面を上記位置決ボルト７の円形頭部７ｂ表面９から引き離し、両者の磁気的な吸着を離脱するだけで良い。このとき、上記位置決ボルト７の円形頭部７ｂ表面９が球面凸状に形成されているので、比較的容易に、上記円形頭部７ｂから上記吊下具２の上面を離脱することができる。
【００５６】
このように、本考案のカーテンの吊下装置によると、天井面Ｒに複数の位置決ボルト７をカーテン１１の設置態様に合わせて螺子込み固定し、その後、吊下具付のカーテン１１の各板状基台２’の上面を上記位置決ボルト７の頭部７ｂ表面９に磁気的に吸着していくだけで良いため、カーテンの設置を極めて容易に行うことができる。
【００５７】
また、位置決ボルト７は天井面Ｒに螺子込むだけで良く、天井面Ｒに金属板を固定する等の作業を必要としないため、どのような場所においても設置が可能であり、汎用性の高いカーテンの吊下装置を実現することができる。
【００５８】
また、カーテン１１の設置の態様に応じて、位置決ボルト７を天井面Ｒに自由に設置することができるため、多様なカーテンの設置態様に対応することができる。例えば、カーテン１１を波状に設置したり、或いは複数の位置決ボルト７を天井面Ｒに「Ｌ」字に沿って螺子込み固定することで、カーテン１１で直角のコーナー部を形成する等の設置態様を自由に行うことができ、カーテンの設置の自由度を飛躍的に高めることができる。
【００５９】
図９は本発明の第２の実施形態であり、上記吊下具２の吊下リング５ａ’にカーテン吊り下げ用の水平ポール１３を挿通し、その水平ポール１３にカーテン１４を吊り下げたものである。
【００６０】
本実施形態の場合は、位置決ボルト７は同様に天井面Ｒに一定間隔毎に一直線状に螺子込み固定する。そして、上記吊下具２の吊下リング５ａ’にはカーテンを縫い付けることなく、複数の吊下具２を各単独で上記位置決ボルト７の円形頭部７ｂに磁気的に吸着する。このとき、図９に示すように、各吊下具２の上記吊下リング５ａ’の全ての挿通孔５ａ”が同一方向に位置するように上記吊下具２を上記位置決ボルト７に吸着固定する。
【００６１】
その後、上記各吊下具２の吊下リング５ａ’の挿通孔５ａ”に１本の水平ポール１３を挿通し、当該水平ポール１３に複数のフック１５を吊り下げ、各フック１５にカーテン１４のフック孔（係合孔）１４ａを引っかけることにより、上記吊下リング５ａ’に上記カーテン１４を吊り下げることができる。
【００６２】
このように構成すると、上記第１の実施形態と同様に、位置決ボルト７は天井面Ｒに螺子込むだけで良く、天井面Ｒに金属板を固定する等の作業を必要としないため、どのような場所においても設置が可能であり、汎用性の高いカーテンの吊下装置を実現することができる。また、本実施形態の場合は、各位置決ボルト７同士の設置間隔は任意とすることができる。
【００６３】
図１０は本考案の第３の実施形態であり、上記第１、第２の実施形態の吊下具２を布製ではなく、金属により構成したものである。
【００６４】
同図において、１６は本実施形態における金属製の吊下具であり、円盤形状のマグネットＭが固定された金属製の円盤状の板状基台１７と、該円盤状の板状基台１７の下面に設けられた吊下部材としてのフック（吊下フック）１８により構成されている。
【００６５】
上記円盤状の板状基台１７は上面にマグネット収納用凹部１７ａが形成されており、当該凹部１７ａ内にマグネットＭが固定されている。上記フック１８はその上部が上記板状基台１７の下面に固定されており、Ｕ字状のフック部１８ａにカーテンを係止し得るように構成されている。
【００６６】
本実施形態では、カーテンは第２の実施形態に使用したフック孔１４ａが形成されたカーテン１４を使用する。このカーテン１４は、その上縁１４ｂに沿って一定間隔Ｔ２毎にフック孔（係合孔）１４ａが貫通形成されている（図１１参照）。従って、上記位置決ボルト７は、上記間隔Ｔ２毎に天井面Ｒに螺子込み固定する。
【００６７】
その後、上記位置決ボルト７の円形頭部７ｂ表面９に上記吊下具１６の板状基台１７上面のマグネットＭを磁気的に吸着していく。そして、図１１に示すように、上記カーテン１４の各フック孔１４ａを、上記各吊下具１６の上記フック１８に係合して行けば良い。本実施形態では、天井面Ｒに固定された複数の位置決ボルト７に複数の吊下具１６を磁気的に吸着し、各吊下具１６の吊下フック１８にカーテン１４の上縁のフック孔１４ａを係合するだけで、カーテン１４を天井面Ｒに容易に設置することができる。
【００６８】
図１２は、本考案の第４の実施形態であり、吊下具２１は、マグネット固定部１９ａとブラケット固定部１９ｂとからなる板状基台１９と、当該板状基台１９の下面に固定される吊下部材としてのブラケット（支持板）２０とから構成されている。
【００６９】
上記板状基台１９の上記マグネット固定部１９ａ上にはマグネットＭが載置され、下方からボルトＢ１にて固定されている。上記マグネット固定部１９ａに隣接する上記ブラケット固定部１９ｂの下面には、ブラケット２０が宛てがわれ、下面側からボルトＢ２が上記ブラケット２０及び上記ブラケット固定部１９ｂに貫通され、上面側でナットＮを締結することにより、上記ブラケット２０は上記ブラケット固定部１９ｂの下面に固定される。
【００７０】
上記ブラケット２０の一縁には下向の突出リブ２０ｂが設けられており、上記ブラケットの上記一縁側をカーテンレール２２の側面スリット２２ａに挿入し、上記側面スリット２２ａ内において上記突出リブ２０ｂを係止することにより、上記ブラケット２０を上記カーテンレール２２に水平に取り付け可能に構成されている。
【００７１】
従って、複数の上記吊下具２１を一定間隔で並設し、各吊下具２１の各上記吊下部材としての上記複数のブラケット２０の各一縁を、上記カーテンレール２２の側面スリット２２ａ内に挿入して係止することにより、上記複数のブラケット２０に１本のカーテンレール２２を固定することができる。
【００７２】
一方、本実施形態における位置決ボルト７は、図１４、図１５に示すように、位置決ボルト７の頭部７ｂの形状が方形（長方形又は正方形）であって、その頭部表面が平面形状のものを使用する。
【００７３】
このような位置決ボルト７を複数用意し、これら位置決ボルト７を天井面に並列に螺子込むことにより、図１４（ｂ）、図１５に示すように、天井面Ｒに帯状に連続する位置決頭部７’を形成することができる。
【００７４】
従って、本実施形態では、まず、図１４（ａ）に示す頭部が長方形の複数の位置決ボルト７を用意し、カーテン１１を設置する予定の天井面Ｒに、位置決ボルト７の雄螺子部７ａを螺子込んでいき、これにより天井面に帯状に連続する位置決頭部７’を形成することができる（図１５参照）。
【００７５】
また、カーテンレール２２には上記複数のブラケット２０によって、上記複数の吊下具２１が一定間隔を以って固定されており、上記カーテンレール２２の下側には図１３に示すように、カーテンフック２３を介してカーテン２４が開閉可能に吊り下げられている。
【００７６】
従って、上記複数の吊下具２１の設けられたカーテンレール２２の上縁側を天井面Ｒに近づけ（図１３矢印方向）、各吊下具２１の板状基台１９の上面側のマグネットＭを、各々上記位置決ボルト７の位置決頭部７’（頭部７ｂ）の下向きの表面９に磁気的に吸着させることにより、上記天井面Ｒにカーテン２４を容易に吊り下げ設置することができる（図１３参照）。
【００７７】
このように、上記吊下具付のカーテンレール２２を天井面Ｒの位置決頭部７’に磁気的に吸着させることにより、天井面Ｒにカーテン２４を容易に吊下設置することができる。
【００７８】
尚、上記位置決ボルト７は、図１６に示すように、方形の頭部７に皿螺子用の貫通孔７ｃを設け、当該貫通孔に皿螺子２５を挿通することにより、上記雄螺子部７ａを構成しても良い。このように構成すると、図１６に示すように、天井面Ｒに頭部７ｂを宛がい、その後に皿螺子２５を上記貫通孔７ｃを介して天井面Ｒに螺子込むことにより、当該位置決ボルト７の天井面Ｒへの固定ができるため、図１６に示すように、複数の位置決ボルト７の頭部７ｂを、天井面Ｒに隙間なく連続的に固定することができる。また、図１３に示すカーテンレールを使用する場合において、図１に示す円形状の頭部７ｂを有する位置決ボルト７を使用しても良い。
【００７９】
以上のように、本考案によれば、位置決ボルト７を一定間隔で天井面Ｒに螺合固定して、その頭部７ｂ表面９を天井面Ｒに下向きに並設し、カーテンの上縁に接合した複数の吊下具の上面をマグネットＭの磁気的吸着力を以って対応する位置決めボルト７の上記頭部表面に吸着することにより、上記カーテンを上記天井面Ｒに容易に吊り下げ支持することができる。
【００８０】
従って、天井面に複数の位置決ボルト７を並設状態にて任意の並び方で螺子込むことにより、カーテンの取り付け位置、態様の位置決めを行うことができ、カーテンの取り付けの自由度を高くすることができる。
【００８１】
また、吊下具の上面をマグネットＭの磁気吸着力により位置決ボルト７に吸着するのみでカーテンを天井面に吊り下げることができ、また吊下具を位置決ボルト７から磁気的に離脱するだけでカーテンを容易に取り外すこともでき、マグネットＭの磁気的吸着力を利用して、カーテンの吊り下げ、取り外しを極めて容易に行うことができる。
【００８２】
また、水平ポール１３又はカーテンレール２２を用いたカーテンの吊り下げも、極めて容易に行うことができる。
【００８３】
しかも、天井面Ｒに対しては、位置決ボルト７又は雄螺子用アンカー１０を螺子込むだけであるから、天井面Ｒに対する加工を最小限に抑えることができるし、カーテン撤去後も位置決めボルト７又は雄螺子用アンカー１０を天井面Ｒに残しても、美観上の影響は殆どなく、天井面Ｒの位置決めボルト７を使用して繰り返しカーテンの吊り下げ作業を行うことができる。
【００８４】
また、カーテンの吊り下げ位置の変更、吊り下げ態様の変更も、天井面Ｒに設置した位置決めボルト７又は雄螺子用アンカー１０の位置の全部又は一部の変更により容易に行うことができる。
【産業上の利用可能性】
【００８５】
本考案に係るカーテンの吊下装置は、非常に簡単な作業によりカーテンのセッティングを行うことができるので、各種宴会、披露宴の装飾として広く用いることができる。
【符号の説明】
【００８６】
１                カーテンの吊下装置
２，１６，２１    吊下具
２’，１７，１９  板状基台
２ａ              上面の布
２ａ’            下面の布
５ａ’            吊下リング（吊下部材）
７                位置決ボルト
７’              位置決頭部
７ａ              雄螺子部
７ｂ              円形頭部（頭部）
９                表面
１１，１４，２４  カーテン
１１ａ            上縁
１３              水平ポール
１４ａ            フック孔（係合孔）
１５              フック
１８              吊下フック（吊下部材）
２０              ブラケット（吊下部材）
Ｍ                マグネット
Ｒ                天井面
【図１】
0003182249.tif 000003
【図２】
0003182249.tif 000004
【図３】
0003182249.tif 000005
【図４】
0003182249.tif 000006
【図５】
0003182249.tif 000007
【図６】
0003182249.tif 000008
【図７】
0003182249.tif 000009
【図８】
0003182249.tif 000010
【図９】
0003182249.tif 000011
【図１０】
0003182249.tif 000012
【図１１】
0003182249.tif 000013
【図１２】
0003182249.tif 000014
【図１３】
0003182249.tif 000015
【図１４】
0003182249.tif 000016
【図１５】
0003182249.tif 000017
【図１６】
0003182249.tif 000018